(57)【要約】【課題】各ユニット間の配線を簡素化すると共に、施工費の削減を図ることができる系統連系システムを提供する。【解決手段】本発明の系統連系システムＳは、発電機３０を備えた複数のガスヒートポンプ式空気調和機１Ａ乃至１Ｎから構築され、このうちの親機の系統連系インバータ４０Ａからインバータ間通信線６７Ａ乃至６７Ｃ・・を介してその他の子機の系統連系インバータ４０Ｂ等に対し、発電量の指示を行い、且つ、親機とされた系統連系インバータ４０Ａは、インバータ間通信線６７Ａ等を介して子機とされた系統連系インバータ４０Ｂ等に対し、発電停止を指示する解列信号を送信する。【選択図】図２
2011019366.tif 000002
【特許請求の範囲】
【請求項１】
冷凍サイクルを構成する圧縮機、発電機、及び、これら圧縮機と発電機を駆動するガスエンジンと、前記発電機にて発電された交流電力を系統の規定周波数交流電力に変換し、当該系統に出力する系統連系インバータと、制御手段とをそれぞれ備えた複数のガスヒートポンプ式空気調和機を有し、当該空気調和機の内の一つを親機とし、該親機と通信線にて接続される他の空気調和機を子機とする系統連系システムにおいて、
前記親機から前記各子機との間で発電量の指示を行うインバータ間通信線を備え、
当該インバータ間通信線を介して解列信号を送信することを特徴とする系統連系システム。
【発明の詳細な説明】
【技術分野】
【０００１】
本発明は、特に、冷凍サイクルを構成する圧縮機と、発電機と、これら圧縮機及び発電機を駆動するガスエンジンとを備えたガスヒートポンプ式空気調和機を用い、発電機により発電された電力を系統に戻すことを可能とした系統連系システムに関するものである。
【背景技術】
【０００２】
従来より、ガスヒートポンプ（ＧＨＰ）式の空気調和機には、冷凍サイクルを構成する圧縮機をガスエンジンで駆動して空調運転を実行すると共に、ガスエンジンで発電機を駆動して発電電力を当該空気調和機が接続される商用系統に戻し、これにより、各送風機などの補機や当該空気調和機が設置される施設における需要家負荷に供給してこれらの運転を行う。
【０００３】
係る空気調和機は、屋外に設置される室外ユニットと、室内に配置され室内側熱交換器（利用側熱交換器）が設けられる室内ユニットとから成り、両者は冷媒管により接続される。室外ユニットは、冷凍サイクルを構成する圧縮機と、発電機と、圧縮機及び発電機を駆動するガスエンジン等を備えている。
【０００４】
ここで、従来の系統連系システムについて図４の電気制御系の詳細説明図を参照して説明する。図４では４台の空気調和機１０１Ａ乃至１０１Ｄから系統連系システム１００が構築されており、これら空気調和機のうち空気調和機１０１Ａを親機とし、その他の空気調和機１０１Ｂ乃至１０１Ｄを子機としている。各空気調和機は、ガスエンジンにて駆動される発電機を備えており、当該発電機にて発電された電力は、系統連系インバータを介して商用系統１０５に供給される（特許文献１参照）。
【０００５】
各系統連系インバータには、制御装置が設けられており、親機１０１Ａの系統連系インバータ１０２Ａと、子機１０１Ｂ乃至１０１Ｄの各系統連系インバータ１０２Ｂ乃至１０２Ｄは、インバータ間通信線１０３Ａ乃至１０３Ｃを介して接続されている。これにより、親機の系統連系インバータ１０２Ａから各子機の系統連系インバータ１０２Ｂ乃至１０２Ｄに対して各空気調和機の発電機における発電量の指示が送信され、各系統連系インバータ１０２Ａ乃至１０２Ｄは、それぞれの圧縮機を駆動する際の余剰動力を用いて駆動されるそれぞれの発電機の発電量を減少又は増大させる。
【０００６】
一方、親機１０１Ａの系統連系インバータ１０２Ａには、系統連系盤１０６が接続されており、これにより、系統連系インバータ１０２Ａは、商用電源１０７の情報を得ることができる。親機１０１Ａの系統連系インバータ１０２Ａと、子機１０１Ｂ乃至１０１Ｄの系統連系インバータ１０２Ｂ乃至１０２Ｄは、解列用の通信線１０４Ａ乃至１０４Ｆが接続されている。これにより、親機１０１Ａの系統連系インバータ１０２Ａが系統連系盤１０６より商用電源１０７の停電状態等の異常を判断した場合、解列用の通信線１０４Ａ乃至１０４Ｆにより各系統連系インバータ１０２Ａ乃至１０２Ｄを商用電源１０７から切り離し、各系統連系インバータが単独運転等することを防止する。
【先行技術文献】
【特許文献】
【０００７】
【特許文献１】特開２００７−２７１１１５号公報
【発明の概要】
【発明が解決しようとする課題】
【０００８】
しかしながら、各系統連系インバータ１０２Ａ乃至１０２Ｄに接続される配線は、上記インバータ間通信線１０３Ａ乃至１０３Ｃや解列用の通信線１０４Ａ乃至１０４Ｆ以外にも、系統連系インバータと商用系統１０５に接続するＡＣラインや、当該系統連系インバータに設けられる制御装置と室内ユニット１１０の制御装置とを接続する室内外操作線１１１、各系統連系インバータ１０２Ａ乃至１０２Ｄから出力される交流電力の周波数を商用系統１０５の周波数とずらして同期させるための同期信号線１１２Ａ乃至１１２Ｃが接続される。特に、親機１０１Ａを構成する系統連系インバータ１０２Ａには、系統連系盤１０６のＷＴＤの入力線１１３や、この電流センサの配線１１４、ＯＶＧＲの入力線１１５、ＵＰＲの入力線１１６が接続されている。
【０００９】
そのため、系統連系システムを構築するガスヒートポンプ（ＧＨＰ）式の空気調和機１０１の数が増えるに従い、これらのユニット間を接続する配線の数が増加し、且つ、複雑となるため、誤配線の危険性があり、また、施工費の高騰を招いていた。
【００１０】
本発明は、従来の技術的課題を解決するためになされたものであり、各ユニット間の配線を簡素化すると共に、施工費の削減を図ることができる系統連系システムを提供する。
【課題を解決するための手段】
【００１１】
上記課題を解決するために、本発明の系統連系システムは、冷凍サイクルを構成する圧縮機、発電機、及び、これら圧縮機と発電機を駆動するガスエンジンと、発電機にて発電された交流電力を系統の規定周波数交流電力に変換し、当該系統に出力する系統連系インバータと、制御手段とをそれぞれ備えた複数のガスヒートポンプ式空気調和機から構築され、空気調和機のうちの一つを親機、他の空気調和機を子機とし、インバータ間通信線を介して親機の制御手段から子機の制御手段に対し、発電量の指示を行うものであって、親機とされた空気調和機の制御手段は、インバータ間通信線を介して子機とされた空気調和機の制御手段に対し、発電停止を指示する解列信号を送信することを特徴とする。
【発明の効果】
【００１２】
本発明によれば、インバータ間通信線により親機とされた空気調和機の制御手段は、子機とされた空気調和機の制御手段に対し、発電量の指示を行うと共に、発電停止を指示する解列信号をも送信可能とすることで、従来、各制御手段間に接続されていた解列用の信号線を省略できる。
【００１３】
これにより、各空気調和機の制御手段間の配線を大幅に簡素化することができ、誤配線を著しく解消することができると共に、施工費の低廉化を図ることが可能となる。
【図面の簡単な説明】
【００１４】
【図１】系統連系システムの概要システム構成ブロック図である。
【図２】ガスヒートポンプ式空気調和装置の概略構成図である。
【図３】他の実施例の系統連系システムの概要システム構成ブロック図である。
【図４】従来の系統連系システムの概要システム構成ブロック図である。
【発明を実施するための形態】
【００１５】
以下、本発明の系統連系システムＳの実施形態について図面を参照して説明する。図１は、本実施例における系統連系システムＳの概要システム構成ブロック図である。系統連系システムＳは、複数の空気調和機１・・・と、商用電源４１と当該系統連系システムＳとの間に介挿されたブレーカ（ＭＣＢ：Ｍｉｎｉａｔｕｒｅ Ｃｉｒｃｕｉｔ Ｂｒｅａｋｅｒ）５０と、ブレーカ５０に接続された複数の負荷（需要家負荷）５１と、系統連系制御を行う系統連系盤５２と、漏電ブレーカ（ＥＬＢ：Ｅａｒｔｈ Ｌｅａｋａｇｅ Ｃｉｒｃｕｉｔ Ｂｒｅａｋｅｒ）５３とを備えている。
【００１６】
当該系統連系システムＳを構成する空気調和機１は、空気調和機１Ａ、１Ｂ、１Ｃ、・・１Ｎまで設けられており、各空気調和機１は、室外ユニット２と室内ユニット３とから構成されている。図１では、空気調和機１Ａは、室外ユニット２Ａと室内ユニット３Ａ、空気調和機１Ｂは、室外ユニット２Ｂと室内ユニット３Ｂ、空気調和機１Ｃは、室外ユニット２Ｃと室内ユニット３Ｃ、・・空気調和機１Ｎは、室外ユニット２Ｎと室内ユニット３Ｎとから構成されている。図１では、４台の空気調和機１を備えた例を挙げて説明しているが、これに限定されるものではなく、２台又は３台、若しくは５台以上であっても良い。各空気調和機１Ａ〜１Ｎは、略同様の構成とされており、以下、空気調和機１Ａを例に挙げて説明する。
【００１７】
次に、空気調和機１Ａの構成について図２の概略構成図を参照して説明する。ガスヒートポンプ式空気調和装置１Ａは、屋外に設置される室外ユニット２Ａと、室内に配置され、室内側熱交換器（利用側熱交換器）が設けられる例えば壁掛け型の室内ユニット３Ａとから成り、両者は図示しないサービスバルブを介して冷媒管（液管４Ａ及びガス管４Ｂ）により接続される。尚、図中室外ユニット２Ａは、二点鎖線で、室内ユニット３Ａは一点鎖線で示している。
【００１８】
室外ユニット２Ａは、冷凍サイクルを構成する圧縮機１２と、発電機３０と、圧縮機１２及び発電機３０を駆動するガスエンジン１０と制御装置Ｃとを備えている。冷凍サイクルは、室外ユニット２Ａに配設される圧縮機１２と、アキュムレータ１３と、四方弁２３と、室外側熱交換器（熱源側熱交換器）１７、減圧手段としての膨張弁２４と、室内ユニット３Ａに配設される室内側熱交換器（利用側熱交換器）１５により構成される。
【００１９】
圧縮機１２の吸込側にはアキュムレータ１３が接続され、吐出側には、四方弁２３が接続される。この四方弁２３が接続される側には、室外熱交換器１７及び膨張弁２４が順次接続され、サービスバルブが設けられた液管４Ａを介して室内側熱交換器１５が接続される。この室内側熱交換器１５の冷媒出口側には、サービスバルブが設けられたガス管４Ｂが接続され、当該ガス管４Ｂは、四方弁２３に接続されている。これにより環状の冷凍サイクルが構成される。圧縮機１２は、ガスエンジン１０の駆動力によって当該冷凍サイクルを循環する冷媒を圧縮する。これら圧縮機１２、膨張弁２４、四方弁２３等は通信線を介して制御装置Ｃに接続され、これにより制御される。
【００２０】
室外ユニット２Ａに配設される室外側熱交換器１７の近傍には、室外側熱交換器１７に送風する室外側送風機１８が配設されている。また、室内ユニット３Ａに配設される室内側熱交換器１５の近傍には、室内側熱交換器１５に送風する室内側送風機１６が配設されている。各送風機１６、１８は本系統連系システムＳにおける需要家負荷であり、詳細は後述するように商用電源４１又は発電機３０より電力が供給され、通信線を介して通信可能に制御装置Ｃに接続され、これにより運転制御される。
【００２１】
そのため、ガスヒートポンプ式空気調和装置１は、通信線を介して通信可能に接続される制御装置Ｃによって四方弁２３が切り替えられることにより、冷房運転又は暖房運転に設定される。即ち、四方弁２３が冷房運転側に切り替えられると、冷凍サイクルを循環する冷媒は、破線矢印の如く圧縮機１２から吐出された後、凝縮器として作用する室外側熱交換器１７内に流入して放熱した後、膨張弁２４にて減圧されて、蒸発器として作用する室内側熱交換器１５内に流入して蒸発して冷却作用を発揮した後、圧縮機１２に帰還する。これにより、室内側熱交換器１５によって被調和室内を冷却する。他方、四方弁２３が暖房運転側に切り替えられると、冷媒回路内に封入された冷媒は、実線矢印の如く圧縮機１２から吐出された後、凝縮器として作用する室内側熱交換器１５内に流入して放熱した後、膨張弁２４にて減圧されて、蒸発器として作用する室外側熱交換器１７内に流入して蒸発した後、圧縮機１２に帰還する。これにより、室内側熱交換器１５によって室内を暖房する。
【００２２】
この圧縮機１２は、電磁式のクラッチ（伝達手段）１４を備えたガスエンジン１０が接離可能に接続され、このガスエンジン１０によって、駆動可能とされる。
【００２３】
一方、前記室外ユニット２Ａに設けられるガスエンジン１０は、燃料供給系から供給された燃料ガスによって稼働される。即ち、ガスエンジン１０には燃料供給管２５が接続され、この燃料供給管２５には通信線を介して通信可能に接続される制御装置Ｃにて開閉制御される燃料遮断弁２６、ゼロガバナ２７及び燃料調整弁２８が順次接続されている。
【００２４】
燃料遮断弁２６は、全閉又は全開することにより、燃料ガスの遮断と、流通が択一的に制御される。ゼロガバナ２７は燃料供給管２５内で、燃料遮断弁２６側が開閉制御によって圧力変動を生じても、燃料調整弁２８側にてガスエンジン１０への燃料供給を一定圧力に調整する。そして、燃料調整弁２８は、燃料ガスと空気とを混合して生成される混合ガスの空燃比を最適に調整するものである。
【００２５】
ガスエンジン１０は、室外ユニット２Ａに設けられて、上記燃料供給系から供給されるガスを燃焼させて駆動力を発生させ、この駆動力によって、上記圧縮機１２を駆動させるものである。ガスの燃焼によって生じた廃熱は、循環されるエンジン冷却水によって冷却される構成とされている。即ち、ガスエンジン１０の冷却水経路５は、エンジン冷却水を循環させる冷却水ポンプ２１と、エンジン冷却水の放熱を行わせるためのラジエータ１９とから構成されている。ラジエータ１９には、ラジエータ用送風機２０が並設されており、このラジエータ用送風機２０によってラジエータ１９へ送風することにより、冷却水の放熱を促進している。
【００２６】
これにより、冷却水ポンプ２１がガスエンジン１０の駆動中に常時運転されることにより、エンジン冷却水は、ガスエンジン１０、冷却水ポンプ２１、ラジエータ１９とを順次経て当該冷却水経路を循環することにより、ガスエンジン１０を冷却する。
【００２７】
次に、発電系統について説明する。発電機３０は、圧縮機１２を駆動するガスエンジン１０により伝達される余剰の駆動力によって発電するものである。発電機３０には、ＡＣライン４３を介して系統連系インバータ４０が接続されている。この系統連系インバータ４０は、発電機３０にてガスエンジン１０からの余剰の駆動力により発電された三相交流電力をＡＣ／ＤＣコンバータを介して整流して直流電力に変換し、一定の出力、例えば３００Ｖに昇圧する。その後、昇圧された直流電力を規定周波数、例えば、５０Ｈｚ又は６０Ｈｚの１００／２００Ｖの交流電力に変換して、ＡＣライン４５を介して商用系統４４に出力する。
【００２８】
この商用系統４４は、図１に示すように、商用電源４１と、ブレーカ５０と、需要家負荷５１とを含み、系統連系インバータ４０は、ＡＣライン４５を介してブレーカ５０と需要家負荷５１との間に接続されている。本実施例において需要家負荷５１は、上述したような空気調和機１を構成する送風機１６や２０、エンジン冷却水ポンプ２１等の室外ユニット２Ａ内に配設される負荷に限らず、室内ユニット３Ａ内に配設される送風機１６、更には、当該系統連系システムＳが設置される施設における照明等の負荷であっても良い。
【００２９】
また、本実施例において、この系統連系インバータ４０は、室外ユニット２Ａの制御装置Ｃに図示しない通信線を介して通信可能に接続されている。そして、この制御装置Ｃは、商用系統４４から動作電源を得ると共に、通信線を介して室内ユニット３Ａに配設される庫内温度センサ３７等と通信可能に接続されている。
【００３０】
系統連系インバータ４０は、発電機３０の発電量を制御する機能を有し、必要に応じて発電量を減少又は増大させる。本実施例では、発電機３０における発電は、空調負荷に応じて制御される圧縮機１２を駆動する際の余剰の駆動力を用いて行われる。そのため、室外ユニット３の制御装置Ｃは、空調負荷を検出するこの場合、庫内温度センサ３７の検出出力に応じて圧縮機１２を運転制御し、商用系統４４の需要家負荷５１・・における負荷量に応じて発電要求を増減させるべく、ガスエンジン１０を駆動制御する。
【００３１】
また、商用電源４１とブレーカ５０の間に接続された電源線を介して系統連系盤５２が設けられており、当該系統連系盤５２は、上記各空気調和機のうち親機を構成する空気調和機１Ａの系統連系インバータ４０Ａに接続されている。
【００３２】
系統連系盤５２は、Ｗ／ＴＤ（ワット・トランスデューサ）５５と、ＯＶＧＲ（地絡過電圧継電器）５６、ＵＰＲ（不足電力継電器）５７を備えている。系統連系盤５２のＷ／ＴＤ５５は、親機の系統連系インバータ４０Ａのインターフェース基板６０Ａに接続されている。また、ＯＶＧＲ５６及びＵＰＲ５７からの信号が親機の系統インバータ４０Ａのインバータ基板６１Ａに送信される。これにより、系統連系インバータ４０Ａが、商用電源４１の情報を得ることができる構成とされている。
【００３３】
図１において系統連系インバータ４０には、室外ユニット３の制御装置Ｃがそれぞれ含まれていると共に、電源基板５８と、メイン基板５９、インターフェース基板６０及びインバータ基板６１がそれぞれ設けられている。尚、図１において、各系統連系インバータ４０Ａ乃至４０Ｎには、電源基板５８Ａ乃至５８Ｎと、メイン基板５９Ａ乃至５９Ｎ、インターフェース基板６０Ａ乃至６０Ｎ及びインバータ基板６１Ａ乃至６１Ｎが設けられる。各系統連系インバータ４０Ａ乃至４０Ｎにおいて、それぞれの電源基板５８Ａ乃至５８Ｎ、メイン基板５９Ａ乃至５９Ｎ、インタフェース基板６０Ａ乃至６０Ｎ及びインバータ基板６１Ａ〜６１Ｎは、それぞれが相互にデータ通信が可能に構成されている。
【００３４】
系統連系インバータ４０Ａ乃至４０Ｎのメイン基板５９Ａ乃至５９Ｎは、図示しないＣＰＵや、ＲＯＭ、ＲＡＭ等を備え、ＣＰＵは、ＲＯＭ内の制御プログラムに従って室外ユニット２Ａ乃至２Ｎを制御する。ＲＯＭは、制御プログラムを含む制御用データをあらかじめ記憶している。ＲＡＭは、接続された各室外ユニット２Ａ乃至２Ｎの発電状況データおよび受電電力の情報を含む受電電力データを格納するデータテーブルを備えている。
【００３５】
インタフェース基板６０Ａ乃至６０Ｎは、ＣＴ６５または後述するＷ／ＴＤ５５の信号から、発電すべき電力量を算出し、対応するインバータ基板６１Ａ、６１Ｂ、６１Ｃ、６１Ｎに出力する。ここで、各室外ユニット４０は、同一のアルゴリズムに基づいて、それぞれ個別に発電量を算出している。
【００３６】
インバータ基板６１Ａ乃至６１Ｎは、上述したように、対応する発電機３０からの三相交流電力を、ＡＣ／ＤＣコンバータを介して、直流電力に変換した後、１００／２００Ｖの交流の電力に変換するものである。このインバータ基板６１Ａ乃至６１Ｎは、インタフェース基板６０Ａ乃至６０Ｎの算出結果に基づいて、対応する発電機３０の発電量を制御し、当該発電機３０が発電した電力を電源基板５８Ａ乃至５８Ｎに出力する。
【００３７】
電源基板５８Ａ乃至５８Ｎには、それぞれＡＣライン４５を介して商用電源４１が接続されており、各インバータ基板６１Ａ乃至６１Ｎで１００／２００Ｖの交流の電力に変換された電力を商用系統４４に出力する。
【００３８】
上記各空気調和機１のうち、親機として機能する空気調和機１Ａの系統連系インバータ４０Ａのインタフェース基板４０Ａには、ＣＴ６５からの検出電流に関するデータ及び、系統連系盤５２からＷ／ＴＤ５５の信号が送信される。親機として機能する系統連系インバータ４０Ａが故障などにより親機として機能できなくなった場合に、親機の代替機として機能する空気調和機１Ｂの系統連系インバータ４０Ｂのインタフェース基板４０Ｂにも、同様に、ＣＴ６６からの検出電流に関するデータ及び、系統連系盤５２からＷ／ＴＤ５５の信号が送信される。尚、子機としてのみ機能する空気調和機１Ｃ乃至１Ｎのインターフェース基板６０Ｃ乃至６０Ｎには、これらの信号は送信されない。
【００３９】
また、親機として機能する系統連系インバータ４０Ａは、子機として機能する各系統連系インバータ４０Ｂ、４０Ｃ、・・４０Ｎと、インバータ間通信線６７Ａ、６７Ｂ、６７Ｃ・・を介して、それぞれが通信可能に接続されている。また、親機として機能する系統連系インバータ４０Ａのメイン基板５９Ａは、子機として機能する各系統連系インバータ４０Ｂ、４０Ｃ、・・４０Ｎのメイン基板５９Ｂ、５９Ｃ、・・５９Ｎと同期信号線６８Ａ、６８Ｂ、６８Ｃ・・を介して接続されている。
【００４０】
係る構成により、親機を構成する空気調和機１Ａの系統連系インバータ４０Ａは、インバータ間通信線６７Ａ、６７Ｂ、６７Ｃ・・を介して、各子機１Ｂ、１Ｃ、・・１Ｎの系統連系インバータ４０Ｂ、４０Ｃ・・４０Ｎに対して定期的に通信を行い、ＣＴ６５やＷ／ＴＤ５５の信号に基づく受電電力の情報を含む受電電力データと、親機として機能する室外ユニット２Ａの発電機３０の発電状況に基づくインバータ情報を含む親機データとを送信する。
【００４１】
親機の系統連系インバータ４０Ａから受電電力データと親機データとが送信された子機の系統連系インバータ４０Ｂ乃至４０Ｎは、自身の発電機３０における発電状況に基づくインバータ情報を子機データとして親機として機能する系統連系インバータ４０Ａに送信する。
【００４２】
これにより、親機の系統連系インバータ４０Ａと、子機の系統連系インバータ４０Ｂ乃至４０Ｎは、受電電力データと発電状況に基づくデータを相互に通信することができる。
【００４３】
これに基づき、親機の系統連系インバータ４０Ａは、受電電力データと、負荷状況とからメイン基板５９Ａに記憶されたプログラムに基づき、親機自身の発電機３０における発電量及び各子機の発電機３０における発電量を決定し、インバータ間通信線６７Ａ乃至６７Ｃを介して各子機のメイン基板５９Ｂ乃至５９Ｎに対して発電量の指示を行う。
【００４４】
また、親機の系統連系インバータ４０Ａのインタフェース基板６０Ａやインバータ基板６１Ａに、系統連系盤５２のＯＶＧＲ５６やＵＰＲ５７より商用電源４１の停電情報等の異常が入力された場合、親機のメイン基板５９Ａは、インバータ間通信線６７Ａ乃至６７Ｃを介して各子機のメイン基板５９Ｂ乃至５９Ｎに対し、各発電機３０における発電停止を指示する解列信号を送信する。
【００４５】
解列信号を受信した各子機及び親機の系統連系インバータ４０Ａ乃至４０Ｎは、制御装置Ｃに発電停止の指示を送信し、当該系統連系インバータ４０Ａ乃至４０Ｎからの出力を停止する。尚、この場合、制御装置Ｃは、ガスエンジン１０の駆動を停止しても良い。これにより、圧縮機１２の運転及び発電機３０の運転が停止され、発電が停止される。
【００４６】
このように、本発明では、インバータ間通信線６７Ａ乃至６７Ｃにより親機とされた空気調和機１Ａの系統連系インバータ４０Ａは、子機とされた空気調和機１Ｂ乃至１Ｎの系統連系インバータ４０Ｂ乃至４０Ｎに対し、発電量の指示を行うと共に、発電停止を指示する解列信号をも送信可能とするので、従来、親機の系統連系インバータ４０Ａと各子機の系統連系インバータ４０Ｂ乃至４０Ｎ間に接続されていた解列用の信号線を省略できる。
【００４７】
そのため、各空気調和機の系統連系インバータ４０間の配線を大幅に簡素化することができ、誤配線を著しく解消することができると共に、施工費の低廉化を図ることが可能となる。
【００４８】
尚、本実施例では、Ｗ／ＴＤ（ワット・トランスデューサ）５５と、ＯＶＧＲ（地絡過電圧継電器）５６、ＵＰＲ（不足電力継電器）５７を備えた系統連系盤５２により親機を構成する空気調和機１Ａの系統連系インバータ４０Ａに商用電源４１の情報を送信しているが、これに限定されるものではなく、図３に示す如き構成を採用しても良い。
【００４９】
即ち、図３の構成は、ブレーカ５０と各需要家負荷５１との間に商用系統４４のＲ相の電流を検出するＣＴ７０と、Ｓ相の電流を検出するＣＴ７１を備え、これらは親機を構成する空気調和機１Ａの系統連系インバータ４０Ａのインターフェース基板６０Ａ、及び、当該親機の代替機として機能する空気調和機１Ｂの系統連系インバータ４０Ｂのインタフェース基板４０Ｂに接続されている。
【００５０】
また、親機の空気調和機１Ａの系統連系インバータ４０Ａのインバータ基板６１Ａには、ＯＶＧＲ（地絡過電圧継電器）７２を備えた系統連系盤７３が接続されている。
【００５１】
これにより、系統連系インバータ４０Ａは、商用電源４１の情報を得ることができる構成とされている。
【００５２】
この場合にも、上記実施例と同様に、親機の系統連系インバータ４０Ａのインタフェース基板６０Ａやインバータ基板６１Ａに、商用電源４１からの電流を検出するＣＴ７０、７１や系統連系盤７３のＯＶＧＲ７２より商用電源４１の停電情報等の異常が入力された場合、親機のメイン基板５９Ａは、インバータ間通信線６７Ａ乃至６７Ｃを介して各子機のメイン基板５９Ｂ乃至５９Ｎに対し、各発電機３０における発電停止を指示する解列信号を送信する。
【００５３】
この場合においても、インバータ間通信線６７Ａ乃至６７Ｃにより親機とされた空気調和機１Ａの系統連系インバータ４０Ａは、子機とされた空気調和機１Ｂ乃至１Ｎの系統連系インバータ４０Ｂ乃至４０Ｎに対し、発電量の指示を行うと共に、発電停止を指示する解列信号をも送信可能とするので、従来、親機の系統連系インバータ４０Ａと各子機の系統連系インバータ４０Ｂ乃至４０Ｎ間に接続されていた解列用の信号線を省略できる。
【００５４】
これにより、各空気調和機の系統連系インバータ４０間の配線を大幅に簡素化することができ、誤配線を著しく解消することができると共に、施工費の低廉化を図ることが可能となる。
【符号の説明】
【００５５】
Ｓ    系統連系システム
１、１Ａ〜１Ｎ  ガスヒートポンプ式空気調和機
２、２Ａ〜２Ｎ  室外ユニット
３、３Ａ〜３Ｎ  室内ユニット
１０    ガスエンジン
１２    圧縮機
１５    室内側熱交換器（利用側熱交換器）
１７    室外側熱交換器（熱源側熱交換器）
３０    発電機
４０    系統連系インバータ
４１    商用電源
４３、４５  ＡＣライン
４４    商用系統
５０    ブレーカ
５１    負荷（需要家負荷）
５２、７３  系統連系盤
５３    漏電ブレーカ
５５    Ｗ／ＴＤ（ワットトランスデューサ）
５６、７２  ＯＶＧＲ（地絡過電圧継電器）
５７    ＵＰＲ（不足電力継電器）
５８    電源基板
５９    メイン基板
６０    インターフェース基板
６１    インバータ基板
６５、６６、７０、７１  ＣＴ
６７Ａ〜６７Ｃ  インバータ間通信線
６８Ａ〜６８Ｃ  同期信号線
【図１】
2011019366.tif 000003
【図２】
2011019366.tif 000004
【図３】
2011019366.tif 000005
【図４】
2011019366.tif 000006